(57)【要約】【課題】振動試験の際や実際にコネクタに振動が加わった場合であっても操作レバーが掛止片から外れることのないコネクタを提供することを目的とする。【解決手段】コネクタ１は、内部ケース４と外部ケース５と外部ケース５を摺動させる操作レバー６とを備える。操作レバー６は、クランク部７とアーム部８とを備える。アーム部８は湾曲部９により外部ケース５の側面に付勢される。外部ケース５の側面には、載置片１０と抑止片１１とが設けられている。載置片１０の先端部には第１爪部１０ａが設けられ、抑止片１１の先端部には第２爪部１１ａが設けられている。アーム部８に外部ケース５の側面から離反する方向に振動が加わった場合、アーム部８の移動が第１爪部１０ａ及び第２爪部１１ａに抑止されると共に、アーム部８が湾曲部９によって外部ケース５に付勢されているため、抑止片１１と載置片１０とからアーム部８が外れにくい。【選択図】図１
2004022220.tif 000002
【特許請求の範囲】
【請求項１】
集積回路を回路基板に着脱自在に装着するコネクタであって、
前記回路基板に固定される内部ケースと、前記内部ケースに対して前後方向に摺動自在に設けられる外部ケースと、前記外部ケースを摺動させる操作レバーとを有し、
前記操作レバーは、前記内部ケース及び前記外部ケースの後方に軸支されるクランク部と、前記クランク部の一端部から略直角に延設されるアーム部とからなり、
前記外部ケースは一方の側面に前記アーム部が前方に倒された際に前記アーム部の下方に当接する載置片と前記アーム部の上方から前記アーム部の上昇を抑止する抑止片とを備え、
前記アーム部は前記外部ケースの側方から外方に向けて突出すると共に前記外部ケースの側面に向けて湾曲する湾曲部が設けられ、前記アーム部は前記湾曲部によって前記外部ケースの側面に向けて付勢され前記載置片と前記抑止片との間に配設されることを特徴とする集積回路用コネクタ。
【請求項２】
集積回路を回路基板に着脱自在に装着するコネクタであって、
前記回路基板に固定される内部ケースと、前記内部ケースに対して前後方向に摺動自在に設けられる外部ケースと、前記外部ケースを摺動させる操作レバーとを有し、
前記操作レバーは、前記内部ケース及び前記外部ケースの後方に軸支されるクランク部と、前記クランク部の一端部から略直角に延設されるアーム部とからなり、
前記外部ケースは一方の側面に前記アーム部が前方に倒された際に前記アーム部の下方に当接する載置片と前記アーム部の上方から前記アーム部の上昇を抑止する抑止片とを備え、
前記載置片と前記抑止片は前記アーム部の直径よりも外方に突出し、前記抑止片は先端から下方に突出する爪部を有し、
前記爪部と前記載置片との間隔が前記アーム部の直径よりも狭くなっていることを特徴とする集積回路用コネクタ。
【請求項３】
集積回路を回路基板に着脱自在に装着するコネクタであって、
前記回路基板に固定される内部ケースと、前記内部ケースに対して前後方向に摺動自在に設けられる外部ケースと、前記外部ケースを摺動させる操作レバーとを有し、
前記操作レバーは、前記内部ケース及び前記外部ケースの後方に軸支されるクランク部と、前記クランク部の一端部から略直角に延設されるアーム部とからなり、
前記外部ケースは一方の側面に前記アーム部が前方に倒された際に前記アーム部の下方に当接する載置片と前記アーム部の上方から前記アーム部の上昇を抑止する抑止片とを備え、
前記載置片と前記抑止片は前記アーム部の直径よりも外方に突出し、前記載置片の上面と前記抑止片の下面との間隔が前記アーム部の直径よりも狭くなっていることを特徴とする集積回路用コネクタ。
【請求項４】
集積回路を回路基板に着脱自在に装着するコネクタであって、
前記回路基板に固定される内部ケースと、前記内部ケースに対して前後方向に摺動自在に設けられる外部ケースと、前記外部ケースを摺動させる操作レバーとを有し、
前記操作レバーは、前記内部ケース及び前記外部ケースの後方に軸支されるクランク部と、前記クランク部の一端部から略直角に延設されるアーム部とからなり、前記クランク部は前記内部ケースに軸支される回動軸と前記外部ケースに設けられた係合部に係合される偏心軸とを有し、
前記外部ケースは一方の側面に前記アーム部が前方に倒された際に前記アーム部の下方に当接する載置片を備え、
前記アーム部が前方に倒されて前記載置片に当接した際に前記偏心軸が水平面よりも下方に位置し、前記アーム部を起立させ前記偏心軸が水平となる際に前記偏心軸が前記係合部に当接することを特徴とする集積回路用コネクタ。
【発明の詳細な説明】
【０００１】
【発明の属する技術の分野】
本発明は、集積回路を回路基板上に着脱自在に装着するコネクタに関する。
【０００２】
【従来の技術】
ＣＰＵ２等の集積回路を回路基板上に着脱自在に装着するコネクタとしては、従来より図７ａに示すようなコネクタ５１が用いられている。このような従来のコネクタ５１は、回路基板３に固定される内部ケース５４と、この内部ケース５４の前後方向に摺動自在の外部ケース５５と、外部ケース５５を前後方向に摺動させる操作レバー５６とを備えている。
【０００３】
操作レバー５６は、図７ａに示すようにクランク部５７とアーム部５８とを備えており、アーム部５８を回動させることによりクランク部５７を回動させ、外部ケース５５の摺動を行っている。また、ＣＰＵ２を装着した状態で操作レバー５６を固定するために、外部ケース５５の側面には操作レバー５６が掛止される上下一対の掛止片５９が設けられている。この掛止片５９は、一般には図７ｂに示すように操作レバー５６の側端部よりも浅く突出する部材からなる。
【０００４】
一方、コネクタ５１を用いた製品であるコンピュータが運送される際には振動が加わることが多いため、操作レバー５６が振動により掛止片５９から外れるおそれがある。そこで、近年ではコネクタ５１にＣＰＵ２を装着した状態で回路基板３に振動を加え、操作レバー５６が外れないかどうかの試験を行っている。このような試験においては、実際に想定される振動よりも大きな振動を加えることが多いため、操作レバー５６が掛止片５９から外れることがあった。
【０００５】
【発明が解決しようとする課題】
操作レバー５６が掛止片５９から外れる原因は、コネクタ５１の幅方向に振動が加わった際に操作レバー５６が外部ケース５５から離反することであると考えられる。そこで、従来ではこのような操作レバー５６の外れを防止するために、クランク部５７とアーム部５８との内角を９０゜未満として操作レバー５６を外部ケース５５の側面に向けて付勢するようにしたコネクタ５１が提案されている。
【０００６】
しかしながら、クランク部５７とアーム部５８との内角を９０゜未満とした場合であっても、その内角が９０゜に近ければ操作レバー５６が掛止片５９から外れるおそれがある。また、コネクタ５１は回路基板３上に載置された状態で加熱され、リフロー半田付けが行われるが、加熱された際にクランク部５７とアーム部５８との角度が９０゜以上となる場合がある。このため、従来のコネクタ５１においては振動試験において操作レバー５６が掛止片５９から外れるおそれがあった。
【０００７】
そこで、本発明は、集積回路用コネクタの改良を目的とし、さらに詳しくは、振動試験の際や実際にコネクタに振動が加わった場合であっても操作レバーが掛止片から外れることのないコネクタを提供することを目的とする。
【０００８】
【課題を解決するための手段】
前記目的を達成するために、本発明の第１の態様のコネクタは、集積回路を回路基板に着脱自在に装着するコネクタであって、前記回路基板に固定される内部ケースと、前記内部ケースに対して前後方向に摺動自在に設けられる外部ケースと、前記外部ケースを摺動させる操作レバーとを有し、前記操作レバーは、前記内部ケース及び前記外部ケースの後方に軸支されるクランク部と、前記クランク部の一端部から略直角に延設されるアーム部とからなり、前記外部ケースは一方の側面に前記アーム部が前方に倒された際に前記アーム部の下方に当接する載置片と前記アーム部の上方から前記アーム部の上昇を抑止する抑止片とを備え、前記アーム部は前記外部ケースの側方から外方に向けて突出すると共に前記外部ケースの側面に向けて湾曲する湾曲部が設けられ、前記アーム部は前記湾曲部によって前記外部ケースの側面に向けて付勢され前記載置片と前記抑止片との間に配設されることを特徴とする。
【０００９】
また、本発明の第２の態様のコネクタは、集積回路を回路基板に着脱自在に装着するコネクタであって、前記回路基板に固定される内部ケースと、前記内部ケースに対して前後方向に摺動自在に設けられる外部ケースと、前記外部ケースを摺動させる操作レバーとを有し、前記操作レバーは、前記内部ケース及び前記外部ケースの後方に軸支されるクランク部と、前記クランク部の一端部から略直角に延設されるアーム部とからなり、前記外部ケースは一方の側面に前記アーム部が前方に倒された際に前記アーム部の下方に当接する載置片と前記アーム部の上方から前記アーム部の上昇を抑止する抑止片とを備え、前記載置片と前記抑止片は前記アーム部の直径よりも外方に突出し、前記抑止片は先端から下方に突出する爪部を有し、前記爪部と前記載置片との間隔が前記アーム部の直径よりも狭くなっていることを特徴とする。
【００１０】
また、本発明の第３の態様のコネクタは、集積回路を回路基板に着脱自在に装着するコネクタであって、前記回路基板に固定される内部ケースと、前記内部ケースに対して前後方向に摺動自在に設けられる外部ケースと、前記外部ケースを摺動させる操作レバーとを有し、前記操作レバーは、前記内部ケース及び前記外部ケースの後方に軸支されるクランク部と、前記クランク部の一端部から略直角に延設されるアーム部とからなり、前記外部ケースは一方の側面に前記アーム部が前方に倒された際に前記アーム部の下方に当接する載置片と前記アーム部の上方から前記アーム部の上昇を抑止する抑止片とを備え、前記載置片と前記抑止片は前記アーム部の直径よりも外方に突出し、前記載置片の上面と前記抑止片の下面との間隔が前記アーム部の直径よりも狭くなっていることを特徴とする。
【００１１】
また、本発明の第４の態様のコネクタは、集積回路を回路基板に着脱自在に装着するコネクタであって、前記回路基板に固定される内部ケースと、前記内部ケースに対して前後方向に摺動自在に設けられる外部ケースと、前記外部ケースを摺動させる操作レバーとを有し、前記操作レバーは、前記内部ケース及び前記外部ケースの後方に軸支されるクランク部と、前記クランク部の一端部から略直角に延設されるアーム部とからなり、前記クランク部は前記内部ケースに軸支される回動軸と前記外部ケースに設けられた係合部に係合される偏心軸とを有し、前記外部ケースは一方の側面に前記アーム部が前方に倒された際に前記アーム部の下方に当接する載置片を備え、前記アーム部が前方に倒されて前記載置片に当接した際に前記偏心軸が水平面よりも下方に位置し、前記アーム部を起立させ前記偏心軸が水平となる際に前記偏心軸が前記係合部に当接することを特徴とする。
【００１２】
【発明の実施の形態】
次に、本発明の集積回路用コネクタの実施形態の一例について、図１乃至図６を参照して説明する。図１は本発明の第１の実施形態のコネクタを示す説明図、図２は第２の実施形態のコネクタを示す説明図、図３は第３の実施形態のコネクタを示す説明図、図４は第４の実施形態のコネクタに用いられる操作レバーを示す説明図、図５は第４の実施形態のコネクタの説明的一部断面図、図６は第４の実施形態のコネクタの作動を示す説明的断面図である。
【００１３】
まず、本発明の第１の実施形態のコネクタ１について図１を参照して説明する。第１の実施形態のコネクタ１は、ＣＰＵ２（図７参照）を回路基板３に着脱自在に装着するいわゆるＺＩＦソケットである。また、図１ａ及び図１ｂに示すように、回路基板３に固定される内部ケース４と、内部ケース４に対して前後方向（図１ａにおいて上下方向）に摺動自在の外部ケース５と、外部ケース５を摺動させる操作レバー６とを備えている。
【００１４】
操作レバー６は、図１ａに示すように内部ケース４及び外部ケース５の後方部分に軸支されるクランク部７と、クランク部７の一端から外部ケース５の側面に沿って前方に曲折されるアーム部８とを備えている。また、クランク部７は、内部ケース４に軸支される回動軸７ａと、外部ケース５の図示しない係合部に係合される偏心軸７ｂとを備えている。また、アーム部８はクランク部７の端部から側方に突出すると共に、前方部分が外部ケース５の側面に向けて曲折された湾曲部９を備えている。第１の実施形態のコネクタ１においては、図１ｃに示すようにこの湾曲部９によってアーム部８が外部ケース５の側面に向けて付勢されるようになっている。
【００１５】
外部ケース５の側面には、図１ａ乃至ｃに示すように、アーム部８の下方を支える載置片１０と、アーム部８を上方から押さえる抑止片１１とが設けられている。第１の実施形態では、この載置片１０は抑止片１１の後方に位置するように設けられている。また、載置片１０及び抑止片１１は、図１ｂ及びｃに示すように、アーム部８の直径よりも側方に突出しており、アーム部８に当接する箇所がアーム部８の外周に沿うように略円弧状に形成されている。また、載置片１０の先端部には上方に向けて突出する第１爪部１０ａが設けられており、抑止片１１の先端部には下方に向けて突出する第２爪部１１ａが設けられている。尚、その他の構成は従来のＺＩＦソケットと同様であるので詳細な説明は省略する。
【００１６】
第１の実施形態のコネクタ１においてアーム部８が起立した状態から前方に回動させると、アーム部８が抑止片１１の上方部分に当接する。その状態からさらにアーム部８を下方に押し下げると、アーム部８は抑止片１１上方の傾斜部に沿って側方に押し広げられる。またさらにアーム部８を下方に押し下げると、アーム部８は載置片１０に当接し、載置片１０によって撓みながら抑止片１１の先端部を通過する。すると、アーム部８は湾曲部９によって外部ケース５の側面に向けて付勢されているので、図１ｃに示すように、正面視で抑止片１１と載置片１０との間に挟持される。
【００１７】
第１の実施形態のコネクタにおいては、載置片１０と抑止片１１の先端部にはそれぞれ第１爪部１０ａと第２爪部１１ａとが形成されている。このため、例えばアーム部８に外部ケース５の側面から離反する方向に振動が加わった場合であっても、アーム部８の移動が第１爪部１０ａ及び第２爪部１１ａに抑止され、アーム部８が抑止片１１と載置片１０とから外れることがない。また、第１の実施形態においては、アーム部８に湾曲部９が設けられ、外部ケース５の側面に向けてアーム部８が付勢されているため、さらに抑止片１１と載置片１０とからアーム部８が外れにくい。
【００１８】
次に、本発明の第２の実施形態のコネクタ２１について図２を参照して説明する。第２の実施形態のコネクタ２１は、第１の実施形態のコネクタ２１と同様に、回路基板３に固定される内部ケース４と、内部ケース４に対して前後方向に摺動自在の外部ケース５と、外部ケース５を摺動させる操作レバー６とを備えている。第２の実施形態においては、アーム部８には第１の実施形態のような湾曲部は設けられておらず、従来より用いられている操作レバーと同様の構成となっている。
【００１９】
外部ケース５の側面には、図２ａ及びｂに示すように、アーム部８の下方を支える載置片１０と、アーム部８を上方から押さえる抑止片１１とが設けられている。第２の実施形態では、載置片１０はアーム部８の直径及び抑止片１１よりも側方へ向けて突出しており、上方に向けて傾斜する傾斜部１０ｂが設けられている。また、抑止片１１はアーム部８の直径よりも外方に突出しており、先端部には下方に向けて突出する爪部１１ａが設けられている。第２の実施形態においては、この爪部１１ａと載置片１０の表面との間隔がアーム部８の直径よりも狭くなるように形成されている。尚、その他の構成は第１の実施形態と同様であるので図中で同一の符号を付して詳細な説明は省略する。
【００２０】
第２の実施形態のコネクタ２１においてアーム部８が起立した状態から前方に回動させると、アーム部８が抑止片１１の上方部分沿って側方に押し広げられながら下降する。すると、アーム部８は載置片１０に当接し、載置片１０によって撓みながら抑止片１１の先端部を通過する。このとき、載置片１０には傾斜部１０ｂが設けられているため、アーム部８は傾斜部１０ｂに案内されて外部ケース５の方向に円滑に移動される。そして、図２ｂに示すように、正面視で抑止片１１と載置片１０との間にアーム部８が配設される。このとき、アーム部８の直径よりも狭い箇所を通過するため操作にクリック感が生じ、良好な操作感を得ることができる。
【００２１】
第２の実施形態のコネクタ２１においては、爪部１１ａと載置片１０の表面との間隔がアーム部８の直径よりも狭くなっているため、例えばアーム部８に外部ケース５の側面から離反する方向に振動が加わった場合であっても、アーム部８の移動が爪部１１ａによって抑止される。このため、アーム部８が抑止片１１と載置片１０とから外れることがない。また、第２の実施形態においては、図２ｂに示すように、アーム部８は載置片１０と抑止片１１との間にそれぞれ間隔を存して配設され、フリーの状態となっている。従って、アーム部８によって内部ケース４や外部ケース５に力が加わらないため、これらの部材のそり等が生じない。
【００２２】
次に、本発明の第３の実施形態のコネクタ３１について図３を参照して説明する。第３の実施形態のコネクタ３１は、第２の実施形態のコネクタ２１と同様に、回路基板３に固定される内部ケース４と、内部ケース４に対して前後方向に摺動自在の外部ケース５と、外部ケース５を摺動させる操作レバー６とを備えている（図２ａ参照）。また、第３の実施形態においては、アーム部８は第２の実施形態と同様に第１の実施形態で設けられていたような湾曲部は設けられていない（図２ａ参照）。
【００２３】
外部ケース５の側面には、図３ａ乃至ｃに示すように、アーム部８の下方を支える載置片１０と、アーム部８を上方から押さえる抑止片１１とが設けられている。第３の実施形態では、図３ａに示すように、正面視において載置片１０と抑止片１１のアーム部８が当接する箇所の間隔がアーム部８の直径よりも狭くなるように形成されている。また、載置片１０及び抑止片１１は、図３ｂに示すようにアーム部８の直径よりも側方に突出しており、アーム部８に当接する箇所がアーム部８の外周に沿うように略円弧状に形成されている。また、載置片１０の先端部には上方に向けて突出する第１爪部１０ａが設けられており、抑止片１１の先端部には下方に向けて突出する第２爪部１１ａが設けられている。
【００２４】
第３の実施形態のコネクタ３１においてアーム部８を倒すと、図３ｂ及びｃに示すようにアーム部８が載置片１０と抑止片１１とにより上下方向から挟持される。第３の実施形態においては、正面視において載置片１０と抑止片１１の間隔がアーム部８の直径よりも狭くなるように形成されているため、図３ｃに示すようにアーム部８が湾曲した状態で保持される。従って、アーム部８は常に載置片１０に対して下方向に付勢されると共に抑止片１１に対して上方向に付勢された状態となる。
【００２５】
従って、第３の実施形態のコネクタ３１においては、例えばアーム部８に外部ケース５の側面から離反する方向に振動が加わった場合であっても、アーム部８は載置片１０と抑止片１１とによって挟持されており、載置片１０と抑止片１１にはそれぞれ第１爪部１０ａ及び第２爪部１１ａが設けられているため、アーム部８が載置片１０と抑止片１１とから外れることがない。
【００２６】
次に、本発明の第４の実施形態のコネクタ４１について図４乃至図６を参照して説明する。第４の実施形態のコネクタ４１は、第１の実施形態のコネクタ４１と同様に、回路基板３に固定される内部ケース４と、内部ケース４に対して前後方向に摺動自在の外部ケース５と、外部ケース５を摺動させる操作レバー６とを備えている（図２ａ参照）。
【００２７】
第４の実施形態における操作レバー６は、図４に示すように、偏心軸７ｂがアーム部８に対して下方に約２０゜下がるように形成されている。また、第４の実施形態においては、アーム部８は第２の実施形態と同様に第１の実施形態で設けられていたような湾曲部は設けられていない（図２ａ参照）。
【００２８】
外部ケース５の側面に設けられた載置片１０と抑止片１１は、第４の実施形態においては、図５に示すように従来のＺＩＦソケットに設けられているものと同様の構成となっている。具体的には、載置片１０及び抑止片１１の側方への突出量がアーム部８の側端部よりも少なくなっている。また、外部ケース５は、図６ａ乃至ｃに示すように、偏心軸７ｂが係合される係合部５ａを備えている。また、内部ケース４には角度が付けられた偏心軸７ｂが収納されるように収納凹部４ａが設けられている。
【００２９】
第４の実施形態のコネクタ４１においてアーム部８を起立させると、図６ａに示すように、回動軸７ａを中心に偏心軸７ｂが回動され、係合部５ａを介して外部ケース５を後方に摺動させる。この状態からアーム部８を前方に回動させてアーム部８が水平面から約２０゜の位置になると、図６ｂに示すように偏心軸７ｂが水平となり、外部ケース５の前方への移動が最大となる。この状態からさらにアーム部８を前方に回動させてアーム部８を水平の状態にしたときは、図６ｃに示すように偏心軸７ｂが下方に回動されて収納凹部４ａに収納される。このとき、偏心軸７ｂの先端部は図６ｂに示す位置よりも後方に移動されるため、外部ケース５は図６ｂに示す位置から図６ｃに示す位置へ後方に向けて戻される。また、このときアーム部８は図５に示すように載置片１０と抑止片１１との間に挟持されている。
【００３０】
第４の実施形態のコネクタ４１においては、アーム部８が水平の状態となっているときに偏心軸７ｂが下方に下がった状態となっているため、この状態からアーム部８を上方に引き上げようとすると、偏心軸７ｂが係合部５ａの壁面に当接する。このとき、ＣＰＵのピン（図示せず）がコネクタ４１のピン（図示せず）に接触しており、これらの接触抵抗によって外部ケース５の摺動にはある程度の力が必要となる。このため、例えばアーム部８に外部ケース５の側面から離反する方向に振動が加わった場合であっても、アーム部８は偏心軸７ｂが係合部５ａに当接して上方に移動しにくくなっているため、アーム部８が載置片１０と抑止片１１とから外れることがない。
【００３１】
尚、前記第１乃至第４の実施形態においては、載置片１０と抑止片１１は前後方向に間隔を存して設けられているが、これに限らず、載置片１０と抑止片１１とを重なるように形成してもよい。
【図面の簡単な説明】
【図１】本発明の第１の実施形態のコネクタを示す説明図。
【図２】第２の実施形態のコネクタを示す説明図。
【図３】第３の実施形態のコネクタを示す説明図。
【図４】第４の実施形態のコネクタに用いられる操作レバーを示す説明図。
【図５】第４の実施形態のコネクタの説明的一部断面図。
【図６】第４の実施形態のコネクタの作動を示す説明的断面図。
【図７】従来のコネクタを示す説明図。
【符号の説明】
１…コネクタ、２…ＣＰＵ（集積回路）、３…回路基板、４…内部ケース、５…外部ケース、６…操作レバー、７…クランク部、８…アーム部、９…湾曲部、１０…載置片、１１…抑止片。
【図１】
2004022220.tif 000003
【図２】
2004022220.tif 000004
【図３】
2004022220.tif 000005
【図４】
2004022220.tif 000006
【図５】
2004022220.tif 000007
【図６】
2004022220.tif 000008
【図７】
2004022220.tif 000009